(57)【特許請求の範囲】
【請求項１】
開口部を備えた第１ケース部材と前記開口部を閉塞した状態で前記第１ケース部材に係止される第２ケース部材とを備えたケース内に通信機能部が収容されてなる携帯機において、
前記ケースを取付対象に取り付けるための装着部材が取着される取付部材を前記ケースに設け、
前記取付部材は、
前記ケースの外側に設けられ、前記ケースに対して所定の操作方向へ操作可能に支持されるとともに前記装着部材が取着される被取着部と、
前記ケースの内側に設けられ、前記被取着部の前記操作方向への操作に基づいて変位することにより前記第１ケース部材及び第２ケース部材の間の係止状態を解除する解除部とを備え、
前記通信機能部は、前記第１ケース部材に固定され、
前記第１ケース部材は、前記取付部材を前記操作方向へ操作可能に保持する取付部材保持部を備え、
前記第１ケース部材及び前記第２ケース部材は、それぞれ前記解除部を挟んで対向する対向面を備え、
前記被取着部は、前記ケースに対して回転操作可能に支持され、
前記解除部は、前記被取着部の回転操作に伴い回転し、その回転軌跡が、前記第１ケース部材及び前記第２ケース部材が係止状態に保持された状態における前記２つの対向面の少なくとも一方よりも径方向外側になるように形成され、
さらに、前記解除部は、優弧状の円弧面と、該円弧面の弦となる平面とを有し、前記第１ケース部材及び前記第２ケース部材それぞれの前記対向面に沿って、前記円弧面と前記平面とが配置されていることを特徴とする携帯機。
【請求項２】
請求項１に記載の携帯機において、
前記ケースは、前記取付部材の軸方向への移動を規制する規制部を備えたことを特徴とする携帯機。
【発明の詳細な説明】
【技術分野】
【０００１】
本発明は、携帯機に関する。
【背景技術】
【０００２】
従来、車両や住宅用の鍵として、車両や住宅等に設けられる通信装置との間で無線通信を行う事が可能な通信機能部を備えた携帯機（電子キー）が提案されており、このような携帯機には、例えば特許文献１に記載されているようなものがある。
【０００３】
この携帯機のケースは、略長方形板状に形成され、その内部には、通信機能部を構成する回路基板が設けられている。ケースの表面には、通信機能部の電源としての電池が収容される電池収容部が凹設されている。また、ケースの表面には、電池収容部を含むケースの表面略半分を覆うように電池カバーが装着されている。電池カバーには、ケースの周縁に沿って、リブが形成されており、ケースにおいて該リブに対応する部分は、ケースの周縁よりもそのリブの厚み分だけ内側に凹設されている。このリブの先端部には、ケース側（内側）へ向けて突出した係止凸部が設けられており、ケースにおいて該係止凸部に対応する位置にはその係止凸部を掛け止めするための係止凹部が設けられている。この係止凸部と係止凹部とが掛け止めされることによりケースに電池カバーが装着される。
【０００４】
また、ケースの一側部において電池カバーのリブの先端面に対向する部分には、爪入れ部が凹設されており、この爪入れ部により、ケースの係止凹部に電池カバーの係止凸部が掛け止めされた状態で電池カバーのリブとケースとの間に隙間が形成される。これにより、電池を交換する際には該隙間に指の爪や工具等を挿入して隙間を押し広げることにより係止凹部と係止凸部との掛け止めされた状態を解除することが可能となり、容易に電池交換ができるようになっている。
【特許文献１】特開２００３−３０４１６９号公報
【発明の開示】
【発明が解決しようとする課題】
【０００５】
ところで、このような携帯機には、その所持態様から、通信性能や耐久性はもとより高い意匠性が求められている。このため、前記従来の携帯機の爪入れ部のようなケースの外観に影響を与える何らかの構造を特別に設けることは、意匠性の面で好ましくない。
【０００６】
本発明は、こうした実情に鑑みてなされたものであって、その目的は、ケースを容易に開放する事が可能な意匠性に優れた携帯機を提供することにある。
【課題を解決するための手段】
【０００７】
請求項１に記載の発明は、開口部を備えた第１ケース部材と前記開口部を閉塞した状態で前記第１ケース部材に係止される第２ケース部材とを備えたケース内に通信機能部が収容されてなる携帯機において、前記ケースを取付対象に取り付けるための装着部材が取着される取付部材を前記ケースに設け、前記取付部材は、前記ケースの外側に設けられ、前記ケースに対して所定の操作方向へ操作可能に支持されるとともに前記装着部材が取着される被取着部と、前記ケースの内側に設けられ、前記被取着部の前記操作方向への操作に基づいて変位することにより前記第１ケース部材及び第２ケース部材の間の係止状態を解除する解除部とを備え、前記通信機能部は、前記第１ケース部材に固定され、前記第１ケース部材は、前記取付部材を前記操作方向へ操作可能に保持する取付部材保持部を備え、前記第１ケース部材及び前記第２ケース部材は、それぞれ前記解除部を挟んで対向する対向面を備え、前記被取着部は、前記ケースに対して回転操作可能に支持され、前記解除部は、前記被取着部の回転操作に伴い回転し、その回転軌跡が、前記第１ケース部材及び前記第２ケース部材が係止状態に保持された状態における前記２つの対向面の少なくとも一方よりも径方向外側になるように形成され、さらに、前記解除部は、優弧状の円弧面と、該円弧面の弦となる平面とを有し、前記第１ケース部材及び前記第２ケース部材それぞれの前記対向面に沿って、前記円弧面と前記平面とが配置されていることをその要旨とする。
【０００８】
本発明によれば、ケースの外側に設けられた取付部材の被取着部を所定の操作方向へ操作することで、ケースの内側に設けられた取付部材の解除部により第１ケース部材及び第２ケース部材の間の係止状態を解除することができる。これにより、携帯機のケースに該ケースを開放するための例えば爪入れ部等を凹設しなくても、取付部材を介してケースを容易に開放することができる。よって、ケースの外観を面一にすることが可能となり、意匠性に優れた携帯機を提供することができる。
そして、通信機能部が固定された第１ケース部材に装着部材の取付部材を保持する取付部材保持部が設けられるため、取付部材は第１ケース部材に保持される。このため、第１ケース部材及び第２ケース部材の間の係止状態が不意に解除されてしまった場合でも、通信機能部は第１ケース部材を介して取付部材に取着された装着部材に保持される。このため、携帯機の通信機能部を紛失してしまうことを好適に防止することができる。
また、取付部材の解除部は、第１ケース部材及び第２ケース部材の対向面の間に配置され、同解除部は、その回転軌跡が、第１ケース部材及び第２ケース部材が係止状態に保持された状態における２つの対向面の少なくとも一方よりも径方向外側になるように形成されている。このため、取付部材が回転操作されると、第１ケース部材及び第２ケース部材の対向面の少なくとも一方に解除部が当接し、該解除部によって第１ケース部材及び第２ケース部材の間の距離が押し広げられ、これにより、第１ケース部材及び第２ケース部材の係止状態が解除される。よって、取付部材を回転操作することによって、ケースを容易に開放することができる。
さらに、取付部材の解除部は優弧状の円弧面を有し、この円弧面は、対応する対向面に沿って配置される。これにより、取付部材をケースに対して回転操作する際に、その解除部を面（対向面）で支持することが可能となり、取付部材の回転操作（ケースの開放操作）をより安定させることができる。
しかも、取付部材の解除部は円弧面の弦となる平面を有し、この平面は、対応する対向面に沿って配置される。このため、取付部材の解除部の回転が規制される。よって、取付部材の解除部が対向面を叩いて異音が発生してしまうことを好適に防止することができる。
【００１３】
請求項２に記載の発明は、請求項１に記載の携帯機において、前記ケースは、前記取付部材の軸方向への移動を規制する規制部を備えたことをその要旨とする。
本発明によれば、ケースの規制部により取付部材の軸方向への移動が規制されるため、取付部材が軸方向にずれてしまうことを防止することができる。
【発明の効果】
【００１４】
本発明によれば、ケースを容易に開放する事が可能な意匠性に優れた携帯機を提供することができる。
【発明を実施するための最良の形態】
【００１５】
以下、本発明を車両用の電子キーシステムに具体化した一実施の形態を図面に従って説明する。
＜電子キーシステムの概要＞
図１に示すように、電子キーシステム１は、取付対象としてのユーザの鞄１ａ等に装着されるキーホルダー型の携帯機（電子キー）２と、車両に搭載された施解錠制御装置３とを備えている。ユーザが携帯機２を所持して車両の所定領域に接近すると、携帯機２は、施解錠制御装置３から送信されるリクエスト信号を受信する。このリクエスト信号はＩＤコードの送信を携帯機２に要求する旨の信号である。携帯機２は前記リクエスト信号を受信すると、予め記録された自身のＩＤコードを含むＩＤ信号を送信する。施解錠制御装置３は、携帯機２から送信されてきたＩＤ信号を受信すると、このＩＤ信号に含まれる携帯機側のＩＤコードと予め記憶された車両側のＩＤコードとを照合し、両ＩＤコードが一致したことを条件としてドア錠を解錠する。一方、ユーザが携帯機２を所持して車両から離間して前記所定領域外に移動すると、施解錠制御装置３は、携帯機２から送信されるＩＤ信号を受信不能となる。施解錠制御装置３は携帯機側のＩＤ信号を受信不能になったことを条件として車両のドア錠を施錠する。このように、ユーザが車両に触れることなくドア錠の施解錠が行われる。
【００１６】
＜携帯機＞
次に、携帯機について詳細に説明する。図２に示すように、携帯機２のケース４は、同ケース４の表面４ａを構成する第１ケース部材としてのアッパケース５と、ケース４の裏面４ｂを構成する第２ケース部材としてのロアケース６とから、全体として五角形平板状に形成されている。ケース４の１つの側壁部の中央（アッパケース５及びロアケース６の境界部位）には、円形の挿通孔４ｃが形成されており、該挿通孔４ｃを介して携帯機２の取付部材７の一部がケース４から突出している。この取付部材７には装着部材としてのチェーン８（図１参照）が装着可能となっており、携帯機２は、取付部材７に装着されたチェーン８を介してユーザの鞄等に装着される。また、携帯機２のケース４の内部には、前記施解錠制御装置３との間で無線通信を行う通信機能部としての通信回路基板９、及びこの通信回路基板９の電源となる電池（例えばボタン電池）１０等が設けられている。通信回路基板９には、前記リクエスト信号を受信するための受信アンテナ（図示略）、制御回路（図示略）、前記ＩＤ信号を送信するための送信アンテナ（図示略）、及び電源回路（図示略）が実装されている。
【００１７】
図３（ａ）に示すように、アッパケース５は、非導電性の非金属材料よりなり、前記ケース４の表面壁を構成する五角形状の第１底壁１１と、該第１底壁１１の周囲に立設された第１底壁１１とは反対側に開口する五角筒状の第１側壁部１２とを備えている。
【００１８】
アッパケース５の第１側壁部１２の先端内側には、その全周に亘って嵌合凹部１３が形成されている（図７参照）。また、第１側壁部１２の１つの第１平板部１４（図３（ａ）において下側の平板部）には、前記挿通孔４ｃの上側の部分に対応する半円状の第１切欠部１５が設けられている（図２参照）。
【００１９】
図３（ｂ）に併せて示すように、アッパケース５の第１底壁１１の内面中央部分には、同第１底壁１１から同アッパケース５の開口方向へと延びる円筒状の第１収容壁部１６が形成されている。第１収容壁部１６は、第１側壁部１２の第１底壁１１の内面からの突出高さよりも若干低く形成されている（図６（ａ）参照）。第１収容壁部１６の外側面には、周方向に等間隔に４つのケース係合部１６ａが突設され、第１収容壁部１６の内側面には、周方向においてケース係合部１６ａとは異なる位置に３つのホルダ係合部１６ｂが凹設されている。第１収容壁部１６の内側には、防水部材１７が設けられている。
【００２０】
防水部材１７は、第１収容壁部１６の内側面に沿う外周面を備えた有底円筒状に形成されるとともに、その開口部から第１収容壁部１６の先端側に延設された略円環状の鍔部１７ａを備えている。鍔部１７ａの内縁部には、円環状の段差部１７ｂが設けられている。
【００２１】
防水部材１７において前記第１収容壁部１６に形成されたホルダ係合部１６ｂに対応する部分には、３つの貫通孔１７ｃが形成されており、鍔部１７ａは、この貫通孔１７ｃ（ホルダ係合部１６ｂ）に対応する部分を前記第１収容壁部１６の外側面よりも径方向外側に配置されるように形成されている。防水部材１７の内側には、その段差部１７ｂの内径と略等しい外径を有する円盤状に形成された通信回路基板９が設けられている。
【００２２】
また、防水部材１７の内側には、バッテリーホルダ１９が設けられている。バッテリーホルダ１９は、防水部材１７の前記段差部１７ｂの外径と略等しい外径と、同段差部１７ｂの内径と略等しい内径と、を有する有底円筒状に形成されている。バッテリーホルダ１９の先端において前記第１収容壁部１６のホルダ係合部１６ｂに対応する部分には、３つのホルダ爪部１９ａが形成されている。これにより、各ホルダ爪部１９ａが防水部材１７の各貫通孔１７ｃを介して対応するホルダ係合部１６ｂに係合することで、バッテリーホルダ１９がアッパケース５に固定される。
【００２３】
バッテリーホルダ１９がアッパケース５に取り付けられた状態において、同バッテリーホルダ１９の中央よりも前記第１切欠部１５とは反対側の部分には、バッテリー収容部１９ｂが設けられている。バッテリー収容部１９ｂには、前記通信回路基板９の電源となるボタン電池等の電池１０（図２参照）が収容される。
【００２４】
アッパケース５の第１底壁１１の内面において前記第１切欠部１５が設けられた第１平板部１４側の部分には、略直方体状に形成された規制部としての取付部材保持部２０が立設されている。取付部材保持部２０は、第１切欠部１５が設けられた第１平板部１４と対向するように配置されるとともに、同アッパケース５の第１側壁部１２の第１底壁１１の内面からの突出高さよりも高く形成されている（図７（ａ）参照）。取付部材保持部２０には、第１切欠部１５（挿通孔４ｃ）よりも小さい直径を有する支持孔２０ａが挿通孔４ｃに対して同心状に貫設されている（図７（ａ）参照）。また、取付部材保持部２０の先端面には、支持孔２０ａの軸方向に延びるスリット２０ｂが、取付部材保持部２０の先端面と支持孔２０ａの内側面とを連通するように設けられている。スリット２０ｂの幅は、支持孔２０ａの内径よりも小さく設定されている。
【００２５】
図３に示すように、アッパケース５の第１底壁１１において取付部材保持部２０の内側には、第１案内壁２１が立設されている。第１案内壁２１の先端面には、第１切欠部１５（挿通孔４ｃ）と略等しい内径を有する円弧状の案内面２１ａ（図６（ａ）参照）が挿通孔４ｃに対して同心状に設けられている。
【００２６】
図５に示すように、ロアケース６は、アッパケース５と同様、非導電性の非金属材料よりなり、前記ケース４の裏面壁を構成する五角形状の第２底壁３１と該第２底壁３１の周囲に立設された第２底壁３１とは反対側に開口する五角筒状の第２側壁部３２とを備えている。
【００２７】
ロアケース６の第２側壁部３２の先端外側には、その全周に亘って、前記アッパケース５の嵌合凹部１３に対応する嵌合凸部３３が形成されている（図７参照）。また、第２側壁部３２の１つの第２平板部３４（図５において下側の平板部）には、前記挿通孔４ｃの下側の部分に対応する半円状の第２切欠部３５が設けられている。
【００２８】
ロアケース６の第２底壁３１の内面中央部分には、同第２底壁３１から同ロアケース６の開口方向へと延びるとともに前記アッパケース５の第１収容壁部１６に対応する円筒状の第２収容壁部３６が形成されている。第２収容壁部３６は、第２側壁部３２の第２底壁３１の内面からの突出高さよりも若干低く形成されている（図６（ａ）参照）。なお、本実施の形態では、ロアケース６の第２側壁部３２の突出高さから第２収容壁部３６の突出高さを差し引いた距離Ｄ２が、挿通孔４ｃの半径ｒの略１／４となるように設定されている。第２収容壁部３６の外側面には、前記アッパケース５の第１収容壁部１６に設けられたケース係合部１６ａに対応する４つのケース爪部３６ａが形成されている。各ケース爪部３６ａが対応するケース係合部１６ａに係合することで、ロアケース６がアッパケース５に固定される。このとき、図６（ｂ）に示すように、アッパケース５及びロアケース６は、同アッパケース５の第１収容壁部１６の先端面１６ｃとロアケース６の第２収容壁部３６の先端面３６ｂとの間に、防水部材１７の鍔部１７ａが介在された状態で固定される。したがって、アッパケース５の第１収容壁部１６とロアケース６の第２収容壁部３６との間のシール性（水密性）が確保される。
【００２９】
図５に示すように、ロアケース６の第２底壁３１の内面において前記第２切欠部３５が設けられた第２平板部３４側の部分には、前記アッパケース５の第１底壁１１に設けられた第１案内壁２１に対応する第２案内壁３７が立設されている。図６（ａ）に示すように、第２案内壁３７は、ロアケース６の第２収容壁部３６の第２底壁３１の内面からの突出高さと略等しい高さに形成されている。すなわち、ロアケース６の第２側壁部３２の突出高さから第２案内壁３７の突出高さを差し引いた距離Ｄ２が、挿通孔４ｃの半径ｒの略１／４となるように設定されている。第２案内壁３７の先端面３７ａは、ロアケース６の第２底壁３１の内面と平行な平面状に形成されている。
【００３０】
＜取付部材＞
次に、取付部材７について詳細に説明する。図３（ａ）に示すように、取付部材７は、アッパケース５に取り付けられた状態で同アッパケース５の第１切欠部１５に配置される基部４１と、該基部４１の外側面に設けられる被取着部としてのリング部４２とを備えている。基部４１は、ケース４の挿通孔４ｃの内径と略等しい外径を有する略円柱状に形成されており、リング部４２は、該基部４１の外側面から突出している。
【００３１】
図４（ａ）に示すように、基部４１においてリング部４２とは反対側の内側面には、小径部４３を介して解除部４４が設けられている。小径部４３の外径は、前記取付部材保持部２０に設けられた支持孔２０ａ（図３（ａ）参照）の内径と略等しくなっている。また、小径部４３の軸方向に沿った長さは、前記取付部材保持部２０の厚さと略等しくなっている。また、基部４１の長さは、取付部材保持部２０の外側の面からケース４の外側面までの距離と略等しくなっている。
【００３２】
図４（ｂ）に示すように、解除部４４は、軸方向（図４（ａ）中、矢印Ｂ方向）から見て、小径部４３と同心状に形成されるとともに挿通孔４ｃ（図２参照）の内径と略等しい外径を有する弓形状に形成されている。解除部４４は、軸方向から見て、優弧状の円弧面４４ａと、該円弧面４４ａの弦となる平面４４ｂとを有している。平面４４ｂは、円弧面４４ａの中心軸線Ｍ、つまり小径部４３の中心軸線Ｍからの距離Ｄ１が、前記挿通孔４ｃ（円弧面４４ａ）の半径ｒ（図６（ａ）参照）の略１／４となるように設定されている。また、解除部４４の円弧面４４ａと平面４４ｂは、連結面４４ｃにより滑らかに連結されている。
【００３３】
＜取付部材の取付態様＞
図３（ａ）に示すように、取付部材７の解除部４４は、取付部材保持部２０よりも内側に配置され、小径部４３は、取付部材保持部２０のスリット２０ｂに圧入されて支持孔２０ａに対し摺動回転可能に配置される。また、基部４１は、アッパケース５の第１切欠部１５に配置され、リング部４２は、アッパケース５の外側に配置される。このとき、取付部材７は、その基部４１及び解除部４４が取付部材保持部２０にそれぞれ当接することで軸方向への移動を規制される。これにより、解除部４４が取付部材保持部２０に当接することで、取付部材７がケース４から抜け落ちてしまうことが防止される。また、このとき、取付部材７の基部４１の外側面は、ケース４の外側面と面一となる。
【００３４】
＜アッパケース及びロアケースの組み付け態様）
次に、アッパケース５及びロアケース６の組み付け態様を説明する。前述のように構成されたアッパケース５及びロアケース６は、アッパケース５に取付部材７が取り付けられた状態で、アッパケース５及びロアケース６の開口部を向き合わせて組み付けられ、該アッパケース５の内部に設けられたケース係合部１６ａとロアケース６の内部に設けられたケース爪部３６ａとが係合することにより、互いに固定されている。このとき、アッパケース５の第１側壁部１２の先端面に設けられた嵌合凹部１３と、ロアケース６の第２側壁部３２の先端面に設けられた嵌合凸部３３とは、互いにはまり合っている。また、このとき、図６（ａ）に示すように、アッパケース５の第１案内壁２１の案内面２１ａとロアケース６の第２案内壁３７の先端面３７ａとは、取付部材７の解除部４４を挟んで対向配置されている。そして、取付部材７の解除部４４は、その円弧面４４ａがアッパケース５の第１案内壁２１の案内面２１ａに沿って配置されるとともに、その平面４４ｂがロアケース６の第２案内壁３７の先端面３７ａに沿って配置されている。
【００３５】
＜ケースの開放方法＞
次に、前述したように構成した携帯機２のケース４の開放方法を説明する。図６（ａ）及び図６（ｂ）に示すように、携帯機２のアッパケース５及びロアケース６が互いに固定されている状態において、取付部材７の解除部４４は、その円弧面４４ａがアッパケース５の第１案内壁２１の案内面２１ａに沿って配置されるとともに、その平面４４ｂがロアケース６の第２案内壁３７の先端面３７ａに沿って配置されている。この状態において、ケース４の外部に設けられた取付部材７のリング部４２を把持し、該リング部４２をケース４に対して回転操作すると、これに伴いケース４の内部に設けられた解除部４４も回転し、アッパケース５の第１案内壁２１側に配置されていた解除部４４の円弧面４４ａ側の部分が、ロアケース６の第２案内壁３７側に移動する。ここで、ロアケース６の第２側壁部３２の突出高さから第２案内壁３７の突出高さを差し引いた距離Ｄ２が、挿通孔４ｃの半径ｒの１／４となるように設定されているため、解除部４４の円弧面４４ａ側の部分の回転軌跡は、ロアケース６の第２案内壁３７よりも径方向外側となる。これにより、図７（ａ）及び（ｂ）に示すように、取付部材７の解除部４４によりロアケース６の第２案内壁３７がアッパケース５の第１案内壁２１に対して離間する方向、すなわち、アッパケース５及びロアケース６の間の係止状態を解除する方向へ押圧される。これにより、アッパケース５及びロアケース６の間の距離が押し広げられ、その結果、アッパケース５及びロアケース６の係止状態が解除される。
【００３６】
次に、上記実施の形態の作用効果を以下に記載する。
（１）携帯機２のケース４には、取付部材７が所定の操作方向へ操作可能に設けられている。この取付部材７は、ケース４の外側に設けられ、携帯機２に装着されるチェーン８が取着されるリング部４２と、ケース４の内側に設けられ、リング部４２の所定の操作方向への操作に基づいて変位することによりアッパケース５及びロアケース６の間の係止状態を解除する解除部４４とを備えている。したがって、ケース４の外側に設けられた取付部材７のリング部４２を所定の操作方向へ操作することで、ケース４の内側に設けられた取付部材７の解除部４４によりアッパケース５及びロアケース６の間の係止状態を解除することができる。これにより、携帯機２のケース４に該ケース４を開放するため例えば爪入れ部等を凹設しなくても、取付部材７を介してケース４を容易に開放することができる。よって、ケース４の外観を面一にすることが可能となり、意匠性に優れた携帯機２を提供することができる。
【００３７】
（２）通信回路基板９が固定されたアッパケース５にチェーン８の取付部材７を保持する取付部材保持部２０が設けられるため、取付部材７はアッパケース５に保持される。このため、アッパケース５及びロアケース６の間の係止状態が不意に解除されてしまった場合でも、通信回路基板９はアッパケース５を介して取付部材７に取着されたチェーン８（ひいては、ユーザの鞄等）に保持される。このため、携帯機２の通信回路基板９を紛失してしまうことを好適に防止することができる。
【００３８】
（３）取付部材７の解除部４４は、アッパケース５及びロアケース６の対向面（案内面２１ａ及び先端面３７ａ）の間に配置され、同解除部４４は、その回転軌跡が、アッパケース５及びロアケース６が係止状態に保持された状態において前記ロアケース６の第２案内壁３７の先端面３７ａよりも径方向外側になるように形成されている。このため、取付部材７が回転操作されると、ロアケース６の第２案内壁３７の先端面３７ａに解除部４４が当接し、該解除部４４によってアッパケース５及びロアケース６の間の距離が押し広げられ、これにより、アッパケース５及びロアケース６の係止状態が解除される。よって、取付部材７を回転操作することによって、ケース４を容易に開放することができる。
【００３９】
（４）アッパケース５の取付部材保持部２０により取付部材７の軸方向への移動が規制されるため、取付部材７が軸方向にずれてしまうことを防止することができる。
（５）取付部材７の回転方向において解除部４４の平面４４ｂと円弧面４４ａとを滑らかに連結する連結面４４ｃが設けられるため、取付部材７を回転操作する際にアッパケース５及びロアケース６に解除部４４が引っかかり難くなる。このため、取付部材７を容易に回転操作することが可能となり、ケース４をより容易に開放することができる。
【００４０】
（６）取付部材７の解除部４４は、軸方向（図４（ａ）中、矢印Ｂ方向）から見て、小径部４３と同心状に形成されるとともに挿通孔４ｃの内径と略等しい外径を有する弓形状に形成されており、優弧状の円弧面４４ａを備えている。このため、アッパケース５及びロアケース６が係止状態に保持された状態において、解除部４４の円弧面４４ａは、アッパケース５の第１案内壁２１の案内面２１ａに沿って配置される。これにより、取付部材７をケース４に対して回転操作する際に、その解除部４４をアッパケース５の第１案内壁２１により面（該案内面２１ａ）で支持することが可能となり、取付部材７の回転操作（ケース４の開放操作）をより安定させることができる。
【００４１】
（７）アッパケース５及びロアケース６が係止状態に保持された状態において、解除部４４の平面４４ｂは、ロアケース６の第２案内壁３７の先端面３７ａに沿って配置される。このため、この状態において、ロアケース６の第２案内壁３７により取付部材７の解除部４４の回転が規制される。よって、取付部材７の解除部４４がロアケース６の第２案内壁３７を叩いて異音が発生してしまうことを好適に防止することができる。
【００４２】
尚、本発明の実施形態は、以下のように変更してもよい。
・上記実施の形態では、取付部材７の解除部４４を、軸方向からみて弓形状に形成したが、その回転軌跡がロアケース６の第２案内壁３７の先端面３７ａよりも径方向外側となるように形成されればよく、例えば軸方向から見て楕円状に形成したり直方体状に形成してもよい。
【００４３】
・上記実施の形態では、取付部材７の基部４１の外側面は、ケース４の外側面と面一となるように形成されていたが、取付部材７の基部４１の一部がケース４の外側に突出していてもよい。
【００４４】
・上記実施の形態では、取付部材７のリング部４２は、ケース４の外側面と面一となるように形成された取付部材７の基部４１の外側面から突出しているが、図８に示すように、携帯機２ａの取付部材４７を、そのリング部４７ａの外側面４７ｂがケース４８の外側面４８ａと面一になるように形成してもよい。
【００４５】
・上記実施の形態では、取付部材７の被取着部としてリング部４２を設けたが、被取着部として例えばフック状に形成したフック部を設けてもよい。
・上記実施の形態では、取付部材７を、ケース４に対して回転方向に操作可能に設けたが、このような態様に限定されない。例えば、図９（ａ）に示すように、アッパケース５及びロアケース６に対して、取付部材５０を軸方向に操作可能に設け、第１切欠部１５及び第２切欠部３５に、取付部材５０の抜け止めを図るための抜け止め部１５ａ，３５ａをそれぞれを設ける。そして、該取付部材５０に、くさび状に形成された解除部５１を設け、該解除部５１がアッパケース５の第１案内壁５２の先端面（対向面）５２ａとロアケース６の第２案内壁５３の先端面（対向面）５３ａとの間に挿入されるように配置する。そして、図９（ｂ）に示すように、取付部材５０を挿通孔４ｃ内に押し込むことによりアッパケース５及びロアケース６の間の係止状態が解除されるようにしてもよい。
【００４６】
・上記実施の形態においては、携帯機２にユーザの任意で施解錠を行うための施解錠スイッチを設けてもよい。
・上記実施の形態では、取付部材７のリング部４２を回転させることによりアッパケース５及びロアケース６の間の係止状態を解除するようにしたが、このような態様に限定されない。例えば、図１０（ａ）に示すように、取付部材６０を取付部材保持部６２に対して軸方向に移動可能に設け、ばね等の付勢部材６３により取付部材６０の基部６１の外側面がアッパケース５及びロアケース６の外側面と面一になるように同取付部材６０を保持する。そして、取付部材６０のリング部４２をケース４の内側へ押し込み、その押し込んだ状態でリング部４２を回転させることによりアッパケース５及びロアケース６の間の係止状態を解除するようにしてもよい。このような構成によれば、ユーザが意図しない時にアッパケース５及びロアケース６の間の係止状態が解除されてしまうことを的確に防止することができる。
【００４７】
・上記実施の形態では、アッパケース５に第１案内壁２１を設けたが、省略してもよい。また、上記実施の形態では、第１案内壁２１の先端面に、円弧状の案内面２１ａを設けたが、平面状の案内面を設けてもよい。
【００４８】
・上記実施の形態では、通信回路基板９が固定されるアッパケース５側に取付部材７を設けたが、ロアケース６側に取付部材７を設けてもよい。
・上記実施の形態では、アッパケース５に第１案内壁２１を設け、ロアケース６に第２案内壁３７を設けたが、これらを省略してもよい。この場合、取付部材７の解除部４４を、アッパケース５の第１底壁１１の内面とロアケース６の第２底壁３１の内面とで挟んで配置する。
【００４９】
・上記実施の形態では、取付部材７を保持する取付部材保持部２０により取付部材７の軸方向への移動を規制したが、取付部材７の軸方向への移動を規制する規制部を、取付部材保持部２０とは別に設けてもよい。
【００５０】
・上記実施の形態では、電池１０を電源とする携帯機２に適用したが、車両側から送信されてくる起動用電波に基づく電力を電源とする携帯機に適用してもよい。なお、このような場合においても、ケース４を容易に開放することができるため、メンテナンス等を容易に行うことができるようになる。
【００５１】
・上記実施の形態では、アッパケース５及びロアケース６の内側（第１収容壁部１６及び第２収容壁部３６）にそれぞれケース係合部１６ａ及びケース爪部３６ａを設けたが、アッパケース５の第１側壁部１２及びロアケース６の第２側壁部３２にそれぞれケース係合部１６ａ及びケース爪部３６ａを設けてもよい。
【００５２】
・上記実施の形態では、携帯機２のケース４は、五角形平板状に形成されているが、例えば円盤状や三角形平板状に形成されていてもよく、また、滴型平板状やハート形平板状等に形成されていてもよい。
【００５３】
・上記実施の形態では、車両用の電子キーシステムの携帯機（電子キー）２として具体化したが、例えば、住宅用の電子キーシステムの携帯機（電子キー）等として具体化してもよい。
【図面の簡単な説明】
【００５４】
【図１】車両の電子キーシステムの概略構成図。
【図２】携帯機の概略構成図。
【図３】（ａ）アッパケース側の平面図、（ｂ）（ａ）のＡ−Ａ線断面図。
【図４】（ａ）取付部材の平面図、（ｂ）（ａ）中、矢印Ｂ方向から見た図。
【図５】ロアケース側の平面図。
【図６】（ａ）（ｂ）ケースの係止状態を説明するための要部概略断面図。
【図７】（ａ）（ｂ）ケースの開放方法を説明するための要部概略断面図。
【図８】別例の携帯機の概略構成図。
【図９】（ａ）（ｂ）別例のケースの開放方法を説明するための概略図。
【図１０】（ａ）（ｂ）別例のケースの開放方法を説明するための概略図。
【符号の説明】
【００５５】
２，２ａ…携帯機、４，４８…ケース、５…第１ケース部材としてのアッパケース、６…第２ケース部材としてのロアケース、７，４７，５０，６０…取付部材、８…装着部材としてのチェーン、９…通信機能部としての通信回路基板、２０，６２…規制部としての取付部材保持部、２１ａ…対向面としての案内面、３７ａ…対向面としての先端面、４２，４７ａ…被取着部としてのリング部、４４，５１…解除部、４４ｃ…連結面。
【図１】
0005133617.tif 000002
【図２】
0005133617.tif 000003
【図３】
0005133617.tif 000004
【図４】
0005133617.tif 000005
【図５】
0005133617.tif 000006
【図６】
0005133617.tif 000007
【図７】
0005133617.tif 000008
【図８】
0005133617.tif 000009
【図９】
0005133617.tif 000010
【図１０】
0005133617.tif 000011